【事件の表示】
　特許第２９９３４７５号「有機薄膜ＥＬ表示装置の駆動方法および駆動回路」の請求項１ないし４に係る特許に対する特許異議の申立てについて、次のとおり決定する。
【結　論】
　訂正を認める。
　特許第２９９３４７５号の請求項１ないし４に係る特許を維持する。
【理　由】
１．手続の経緯
　特許第２９９３４７５号の請求項１〜４に係る発明は、平成９年９月１６日に出願され、平成１１年１０月２２日に設定登録され、その後、異議申立人　小野　浩一、異議申立人　出口　淳子、異議申立人　古江　恵実子、異議申立人　シャープ株式会社より特許異議の申立てがなされ、取消理由通知がなされ、その指定期間内である平成１３年２月６日に訂正請求がなされたものである。
　
２．訂正の適否について
（１）訂正の内容
　特許権者が求める訂正の内容は以下のとおりである。　
ａ．発明の名称「有機薄膜ＥＬ表示装置の駆動方法」を明瞭でない記載の釈明を目的として「有機薄膜ＥＬ表示装置の駆動方法および駆動回路」と訂正する。
ｂ．特許請求の範囲の請求項１
「有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置の駆動方法において、前記走査電極の選択単位電極と前記データ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極とすべてのデータ電極とをショートして、全画素をゼロバイアスとすることを特徴とする有機薄膜ＥＬ表示装置の駆動方法。」を
「有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置の駆動方法において、前記データ電極の各単位電極には選択時には電流供給手段に、非選択時には接地側に接続するスイッチを接続し、前記電流供給手段には前記電流供給手段をそれぞれ短絡するスイッチを並列に接続することにより、前記走査電極の選択単位電極と前記データ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極とすべてのデータ電極とをショートして、全画素をゼロバイアスとすることを特徴とする有機薄膜ＥＬ表示装置の駆動方法。」と訂正する。
　これに伴い、特許請求の範囲の記載と発明の詳細な説明の記載との整合をとるため、段落００１３の
「【課題を解決するための手段】本発明は上記の目的を達成するために、走査電極の選択単位電極とデータ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極とすべてのデータ電極とをショートして、全画素をゼロバイアスとするようにした。」
を明瞭でない記載の釈明を目的として
「【課題を解決するための手段】本発明は上記の目的を達成するために、前記データ電極の各単位電極には選択時には電流供給手段に、非選択時には接地側に接続するスイッチを接続し、前記電流供給手段には前記電流供給手段をそれぞれ短絡するスイッチを並列に接続することにより、走査電極の選択単位電極とデータ電極の選択単位電極との間には順八イアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極とすべてのデータ電極とをショートして、全画素をゼロバイアスとするようにした。」と訂正する。
ｃ．特許請求の範囲の請求項２
「有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置の駆動方法において、前記走査電極の選択単位電極と前記データ電極の選択単位電極との間には順バイアスを印加して、双方の選択単位電極に関わる選択画素を発光させるとともに、前記走査電極の非選択単位電極と前記データ電極の非選択単位電極との間には逆ハイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極と前記データ電極の所定単位電極とをショートして、すべての走査電極と前記データ電極の所定単位電極とに関わる画素をゼロバイアスとすることを特徴とする有機薄膜ＥＬ表示装置の駆動方法。」を
「有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置の駆動方法において、前記データ電極の各単位電極には選択時には電流供給手段に、非選択時には接地側に接続するスイッチを接続し、前記電流供給手段には前記電流供給手段をそれぞれ短絡するスイッチを並列に接続することにより、前記走査電極の選択単位電極と前記データ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極と前記データ電極の所定単位電極とをショートして、すべての走査電極と前記データ電極の所定単位電極とに関わる画素をゼロバイアスとすることを特徴とする有機薄膜ＥＬ表示装置の駆動方法。」と訂正する。
　これに伴い、特許請求の範囲の記載と発明の詳細な説明の記載との整合をとるため、段落００１４の
「また、本発明は上記の目的を達成するために、走査電極の選択単位電極とデータ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極と前記データ電極の所定単位電極とをショートして、すべての走査電極と前記データ電極の所定単位電極とに関わる画素をゼロバイアスとするようにした。」
を明瞭でない記載の釈明を目的として
「また、本発明は上記の目的を達成するために、前記データ電極の各単位電極には選択時には電流供給手段に、非選択時には接地側に接続するスイッチを接続し、前記電流供給手段には前記電流供給手段をそれぞれ短絡するスイッチを並列こ接続することにより、走査電極の選択単位電極とデータ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極と前記データ電極の所定単位電極とをショートして、すべての走査電極と前記データ電極の所定単位電極とに関わる画素をゼロバイアスとするようにした。」
と訂正する。
ｄ．特許請求の範囲の請求項３
「有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置を駆動する有機薄膜ＥＬ表示装置の駆動回路において、前記走査電極の選択単位電極と前記データ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極とすべてのデータ電極とをショートして、全画素をゼロバイアスとすることを特徴とする有機薄膜ＥＬ表示装置の駆動回路。」を
「有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置を駆動する有機薄膜ＥＬ表示装置の駆動回路において、前記データ電極の各単位電極には選択時には電流供給手段に、非選択時には接地側に接続するスイッチを接続し、前記電流供給手段には前記電流供給手段をそれぞれ短絡するスイッチを並列に接続することにより、前記走査電極の選択単位電極と前記データ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極とすべてのデータ電極とをショートして、全画素をゼロバイアスとすることを特徴とする有機薄膜ＥＬ表示装置の駆動回路。」
と訂正する。
ｅ．特許請求の範囲の請求項４
「有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置を駆動する有機薄膜ＥＬ表示装置の駆動回路において、前記走査電極の選択単位電極と前記データ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極と前記データ電極の所定単立電極とをショートして、すべての走査電極と前記データ電極の所定単位電極とに関わる画素をゼロバイアスとすることを特徴とする有機薄膜ＥＬ表示装置の駆動回路。」を
「有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置を駆動する有機膜ＥＬ表示装置の駆動回路において、前記データ電極の各単位電極には選択時には電流供給手段に、非選択時には接地側に接続するスイッチを接続し、前記電流供給手段には前記電流供給手段をそれぞれ短絡するスイッチを並列に接続することにより、前記走査電極の選択単位電極と前記データ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極と前記データ電極の所定単位電極とをショートして、すべての走査電極と前記データ電極の所定単位電極とに関わる画素をゼロバイアスとすることを特徴とする有機薄膜ＥＬ表示装置の駆動回路。」
と訂正する。
　
（２）訂正の目的の適否、新規事項の有無及び拡張・変更の存否
　上記訂正事項ａは、特許明細書の発明の名称と特許請求の範囲の記載との整合をとるためのものであり、明瞭でない記載の釈明に該当する。
　上記訂正事項ｂは、本件発明１を特定する事項である「有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置の駆動方法において、前記走査電極の選択単位電極と前記データ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極とすべてのデータ電極とをショートして、全画素をゼロバイアスとすることを特徴とする有機薄膜ＥＬ表示装置の駆動方法。」を、これに含まれる事項である「有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置の駆動方法において、前記データ電極の各単位電極には選択時には電流供給手段に、非選択時には接地側に接続するスイッチを接続し、前記電流供給手段には前記電流供給手段をそれぞれ短縮するスイッチを並列に接続することにより、前記走査電極の選択単位電極と前記データ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極とすべてのデータ電極とをショートして、全画素をゼロバイアスとすることを特徴とする有機薄膜ＥＬ表示装置の駆動方法。」に限定し、しかも、「前記データ電極の各単位電極には選択時には電流供給手段に、非選択時には接地側に接続するスイッチを接続し、前記電流供給手段には前記電流供給手段をそれぞれ短絡するスイッチを並列に接続すること」は願書に添付された明細書の段落００１８〜００１９および図１に記載されていたものであるから、特許請求の範囲の減縮を目的とした明細書の訂正に該当し、また、この特許請求の範囲の記載の訂正に伴う、発明の詳細な説明の記載の整合を取るための訂正であるから明瞭でない記載の釈明に該当する。
　上記訂正事項ｃ〜ｅは、上記訂正事項ｂと同様の訂正であり、特許請求の範囲の減縮を目的とした明細書の訂正に相当する。
　またいずれの訂正も、新規事項の追加には該当せず、実質的に特許請求の範囲を拡張又は変更するものではない。
　
（３）むすび
　したがって、上記訂正は、特許法第１２０条の４第２項及び同条３項で準用する第１２６条第２項及び第３項の規定に適合するので、当該訂正を認める。
　
３．特許異議の申し立てについての判断
（１）特許異議申立の概要
ａ．申立人　小野　浩一　は、次の甲第１号証および参考資料１，２を提出し、請求項１〜４に係る発明の特許は、甲第１号証より、特許法第２９条第１項第３号もしくは特許法第２９条第２項の規定に違反してなされたものであるから取り消すべき旨、
甲第１号証：特開平９−２３２０７４号公報（引用刊行物２）
参考資料１：特開平８−３１５９８１号公報
参考資料２：特開平９−２０４９８５号公報
ｂ．申立人　出口　淳子　は、次の甲第１，２号証を提出し、請求項１〜４に係る発明の特許は、甲第１，２号証より、特許法第２９条第２項の規定に違反してなされたものであるから取り消されるべき旨、
甲第１号証：特開平６−３０１３５５号公報（引用刊行物１）
甲第２号証：特開平９−２３２０７４号公報（引用刊行物２）
ｃ．申立人　古江　恵実子　は、次の甲第１，２号証を提出し、請求項１〜４に係る発明の特許は、甲第１号証より、特許法第２９条第１項第３号の規定に、または、甲第１，２号証より、特許法第２９条第２項の規定に違反してなされたものであるから取り消すべき旨、
甲第１号証：特開平９−２３２０７４号公報（引用刊行物２）
甲第２号証：特開平６−３０１３５５号公報（引用刊行物１）
ｄ．申立人　シャープ株式会社　は、次の甲第１，２号証を提出し、請求項１〜４に係る発明の特許は、甲第１，２号証より、特許法第２９条第２項の規定に違反してなされたものであるから取り消すべき旨、それぞれ、主張している。
甲第１号証：特開平９−２３２０７４号公報（引用刊行物２）
甲第２号証：特開平６−３０１３５５号公報（引用刊行物１）
　
　上記各異議申立は、申立に係る請求項が同じであって、引用刊行物１は申立番号２乃至４に係る異議申立において共通し、引用刊行物２は各異議申立において共通している。
　そこで、異議申立の審理において、これらを一括して検討を行う。
　
（２）本件発明
　本件請求項１〜４に係る発明（以下、「本件発明１〜４」という。）は、上記訂正請求書の特許請求の範囲の請求項１〜４に記載された次のとおりの事項により特定されるものである。
「【請求項１】 
Ａ　有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置の駆動方法において、
Ｂ　前記データ電極の各単位電極には選択時には電流供給手段に、非選択時には接地側に接続するスイッチを接続し、前記電流供給手段には前記電流供給手段をそれぞれ短絡するスイッチを並列に接続することにより、
Ｃ　前記走査電極の選択単位電極と前記データ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、
Ｄ　前記走査電極の各単位電極の選択に従属して選択されるべきデータ電極の所定単位電極を選択する直前に、一旦、すべての走査電極とすべてのデータ電極とをショートして、全画素をゼロバイアスとすることを特徴とする有機薄膜ＥＬ表示装置の駆動方法。
【請求項２】 
Ｅ　有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置の駆動方法において、
Ｆ　前記データ電極の各単位電極には選択時には電流供給手段に、非選択時には接地側に接続するスイッチを接続し、前記電流供給手段には前記電流供給手段をそれぞれ短絡するスイッチを並列に接続することにより、
Ｇ　前記走査電極の選択単位電極と前記データ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、
Ｈ　前記走査電極の各単位電極の選択に従属して選択されるべきデータ電極の所定単位電極を選択する直前に、一旦、すべての走査電極と前記データ電極の所定単位電極とをショートして、すべての走査電極と前記データ電極の所定単位電極とに関わる画素をゼロバイアスとすることを特徴とする有機薄膜ＥＬ表示装置の駆動方法。
【請求項３】 
Ｉ　有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置を駆動する有機薄膜ＥＬ表示装置の駆動回路において、
Ｊ　前記データ電極の各単位電極には選択時には電流供給手段に、非選択時には接地側に接続するスイッチを接続し、前記電流供給手段には前記電流供給手段をそれぞれ短絡するスイッチを並列に接続することにより、
Ｋ　前記走査電極の選択単位電極と前記データ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、
Ｌ　前記走査電極の各単位電極の選択に従属して選択されるべきデータ電極の所定単位電極を選択する直前に、一旦、すべての走査電極とすべてのデータ電極とをショートして、全画素をゼロバイアスとすることを特徴とする有機薄膜ＥＬ表示装置の駆動回路。
【請求項４】 
Ｍ　有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置を駆動する有機薄膜ＥＬ表示装置の駆動回路において、
Ｎ　前記データ電極の各単位電極には選択時には電流供給手段に、非選択時には接地側に接続するスイッチを接続し、前記電流供給手段には前記電流供給手段をそれぞれ短絡するスイッチを並列に接続することにより、
Ｏ　前記走査電極の選択単位電極と前記データ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、
Ｐ　前記走査電極の各単位電極の選択に従属して選択されるべきデータ電極の所定単位電極を選択する直前に、一旦、すべての走査電極と前記データ電極の所定単位電極とをショートして、すべての走査電極と前記データ電極の所定単位電極とに関わる画素をゼロバイアスとすることを特徴とする有機薄膜ＥＬ表示装置の駆動回路。」
　なお、Ａ〜Ｐの記載は、当審において便宜上付与した。
　
（３）本件発明１について
ア．引用刊行物および異議申立人提出刊行物に記載された発明
　当審が平成１に通知した取消しの理由において引用した刊行物１（異議申立人　出口　淳子　提出甲第１号証、異議申立人　古江　恵実子　提出甲第２号証、異議申立人　シャープ株式会社　提出甲第２号証），刊行物２（異議申立人　小野　浩一　提出甲第１号証、異議申立人　出口　淳子　提出甲第２号証、異議申立人　古江　恵実子　提出甲第１号証、異議申立人　シャープ株式会社　提出甲第１号証）にはそれぞれ次のとおりの発明が記載されている。
　
ａ．引用刊行物１：特開平６−３０１３５５号公報
「【００３５】図１は本発明の第１の実施例に係る有機薄膜ＥＬ素子の概略構成を示す斜視図である。この有機薄膜ＥＬ素子は、厚さ１．１ｍｍの透明絶縁性基板としてのガラス板２１上に、陽極としてのＩＴＯ電極２２1 〜２２64が厚さ２４０ｎｍで０．５ｍｍ幅の６４本のストライプ状に０．７ｍｍピッチで形成されている。なお、この６４本の夫々が第１の単位電極であり、その形成には、例えばフォトリソ法を用いる。
【００３６】また、ＩＴＯ電極２２1〜２２64上には有機正孔注入輸送層２３として、Ｎ，Ｎ′−ビス（３−メチルフェニル）−Ｎ，Ｎ′−ジフェニル−１，１′−ビフェニル−４，４′−ジアミンが５０ｎｍ蒸着され、当該有機正孔注入層２３上には有機電子輸送発光層２４として、トリス（８−キノリノール）アルミニウムが６０ｎｍ蒸着されている。
【００３７】陰極としての金属電極２５1〜２５64は、ＩＴＯ電極２２1〜２２64と同じ６４本のストライプ状のパターンを有し、組成比４：１のＭｇとＬｉとが厚さを２２０ｎｍとするように有機電子輸送発光層上に共蒸着されたものであって、該パターンがＩＴＯ電極２２1〜２２64のパターンと略直交するように形成されている。また、この６４本の夫々が第２の単位電極である。」
（第００３５〜００３７段落）
と記載されると共に、図１に有機薄膜ＥＬ素子の概略構造が示されている。
　
ｂ．引用刊行物２：特開平９−２３２０７４号公報
「【０００１】
【発明の属する技術分野】本発明は、有機ＥＬ（エレクトロルミネッセンス）などの発光素子を発光させるための駆動方法に関する。」
（第０００１段落）
「【０００５】走査中の陰極線Ｂ1 以外の他の陰極線Ｂ2〜Ｂn には電源電圧と同電位の逆バイアス電圧ＶCCを印加してやることにより、誤発光を防止している。なお、前記図１３では、駆動源として電流源５２1〜５２mを用いたが、電圧源を用いても同様に実現することができる。」
（第０００５段落）
「００１２】
【課題を解決するための手段】前記課題を解決するために、本発明では次のような手段を採用した。すなわち、請求項１記載の発明は、マトリックス状に配置した陽極線と陰極線の各交点位置に発光素子を接続し、前記陽極線と陰極線のいずれか一方の側を走査線とするとともに他方の側をドライブ線とし、走査線を所定周期で走査しながら、該走査と同期して所望のドライブ線に駆動源を接続することにより走査線とドライブ線の交点位置に接続された発光素子を発光させるようにした単純マトリックス駆動方式からなる発光素子の駆動方法において、次の走査線への切り換わり時に、すべての走査線を一旦同じ電位からなるリセット電圧に接続することを特徴とするものである。」
（第００１２段落）
「【００３５】図５〜図８に、本発明に係る第２の駆動方法を示す。この第２の駆動方法は、次の陰極線へ走査が移る前に、陰極線と陽極線のすべてを一度電源電圧ＶCC＝１０Ｖにリセットするようにした場合の例である。このリセット方法を実現するために、図５〜図８の回路では、ドライブスイッチ６1〜６256として３点切換スイッチを用い、第１の接点は開放とし、第２の接点は電流源２1〜２256に、第３の接点は電源電圧ＶCC＝１０Ｖにそれぞれ接続したものである。なお、このドライブスイッチ６1〜６256以外の他の部分の回路構成は、前述した第１の駆動方法の場合と同じであるので、その説明は省略する。
【００３６】次に、前記図５〜図８を参照して、第２の駆動方法による発光動作について説明する。なお、以下に述べる動作は、前述した第１の駆動方法と同様に、陰極線Ｂ1 を走査して発光素子Ｅ1,1とＥ1,2を光らせた後、陰極線Ｂ2に走査を移して発光素子Ｅ2,2とＥ3,2を光らせる場合を例に採る。
【００３７】まず、図５では、走査スイッチ５1が０Ｖ側に切り換えられ、陰極線Ｂ1が走査されている。他の陰極線Ｂ2〜Ｂ64には、走査スイッチ５2〜５64により逆バイアス電圧１０Ｖが印加されている。さらに、陽極線Ａ1とＡ2には、ドライブスイッチ６1と６2によって電流源５1，５2が接続されている。また、他の陽極線Ａ3〜Ａ256 には、シャントスイッチ７3 〜７256 によって０Ｖが与えられている。
【００３８】したがって、図５の場合、発光素子Ｅ1,1とＥ2,1のみが準方向にバイアスされ、電流源５1 と５2から矢印のように駆動電流が流れ込み、発光素子Ｅ1,1とＥ2,1のみが発光している。この図５の状態では、コンデンサにハッチングして示した発光素子は、それぞれ図のような極性の向きに充電された状態となっている。この図５の発光状態から図８の発光素子Ｅ2,2とＥ3,2が発光する状態に走査を移行する際に、以下のようなリセット制御が行なわれる。
【００３９】すなわち、走査が図５の陰極線Ｂ1から図８の陰極線Ｂ2に移行する前に、まず、図６に示すように、すべてのシャントスイッチ７1〜７256をオフするとともに、すべての走査スイッチ５1〜５64と、すべてのドライブスイッチ６1〜５256を１０Ｖ側に切り換え、陽極線Ａ1〜Ａ256と陰極線Ｂ1〜Ｂ64のすべてを一旦１０Ｖにシャントし、１０Ｖによるオールリセットをかける。この１０Ｖへのオールリセットが行なわれると、陽極線と陰極線のすべてが１０Ｖの同電位となるので、各発光素子に充電されていた電荷は図中の矢印で示すようなルートを通って放電し、すべての発光素子の充電電荷が瞬時のうちに０となる。
【００４０】前記のようにして、すべての発光素子の充電電荷を０にした後、図７に示すように、陰極線Ｂ2に対応する走査スイッチ５2のみを０Ｖ側に切り換え、陰極線Ｂ2の走査を行なう。これと同時に、ドライブスイッチ６2と６3を電流源２2と２3側に切り換えるとともに、他のドライブスイッチ６1，６4〜６256については開放端側に切り換える。さらに、シャントスイッチ７1 ，７4〜７256をオンし、陽極線Ａ1 ，Ａ4 〜Ａ256に０Ｖを与える。
【００４１】上記スイッチの切り換えによって陰極線Ｂ2の走査が行なわれると、前述したようにすべての発光素子の充電電荷は０とされているので、次に発光させるべき発光素子Ｅ2,2とＥ3,2には、図７中に矢印で示したような複数のルートで充電電流が一気に流れ込み、それぞれの発光素子の寄生容量Ｃが瞬時に充電される。
【００４２】すなわち、発光素子Ｅ2,2には、電流源２2→ドライブスイッチ６2→陽極線Ａ2→発光素子2,2→走査スイッチ５2のルートで充電電流が流れ込むとともに、走査スイッチ５1→陰極線Ｂ1→発光素子Ｅ2,1→発光素子Ｅ2,2→走査スイッチ５2のルート、走査スイッチ５3→陰極線Ｂ3→発光素子Ｅ2,3→発光素子Ｅ2,2→走査スイッチ５2のルート、・・・、走査スイッチ５64→陰極線Ｂ64→発光素子Ｅ2,64→発光素子Ｅ2,2→走査スイッチ５2のルートからも同時に充電電流が流れ込み、発光素子Ｅ2,2はこれら複数の充電電流によって瞬時に充電されて発光し、図８に示す定常状態に瞬時に移行する。
【００４３】また、発光素子Ｅ3,2には、電流源２3→ドライブスイッチ６3→陽極線Ａ3→発光素子3,2→走査スイッチ５2の通常のルートで充電電流が流れ込むとともに、走査スイッチ５1→陰極線Ｂ1発光素子Ｅ3,1→発光素子Ｅ3,2→走査スイッチ５2のルート、走査スイッチ５3→陰極線Ｂ3→発光素子Ｅ3,3→発光素子Ｅ3,2→走査スイッチ５2のルート、・・・、走査スイッチ５64→陰極線Ｂ64→発光素子Ｅ3,64→発光素子Ｅ3,2→走査スイッチ５2ルートからも同時に充電電流が流れ込み、発光素子Ｅ2,2はこれら複数の充電電流によって瞬時に充電されて発光し、図８に示す定常状態に瞬時に移行する。
【００４４】以上述べたように、第２の駆動方法は、次の走査に移行する前に、陰極線と陽極線のすべてを一旦電源電圧である１０Ｖに接続してリセットするようにしたので、次の走査線に切り換えられた際に、切り換えられた走査線上の発光素子を瞬時に発光させることができる。
【００４５】なお、前記発光させるべき発光素子Ｅ2,2、Ｅ3,2以外の他の発光素子についても、図３中に矢印で示したようなルートでそれぞれ充電が行なわれるが、これらの充電方向は逆バイアス方向であるので、発光素子Ｅ2,2、Ｅ3,2以外の他の発光素子が誤発光するおそれはない。
【００４６】前記図５〜図８の例では、駆動源として電流源２1〜２256を用いた場合を示したが、電圧源を用いても同様に実現することができる。」
（第００３５〜００４６段落）
と記載されると共に、第５〜１２図に駆動方法の説明図が示されている。
　
イ．対比・判断
　本件発明１と上記引用刊行物２に記載された発明とを対比する。
　上記引用刊行物２は、「有機ＥＬ（エレクトロルミネッセンス）などの発光素子を発光させるための駆動方法」に関するものであり、「走査中の陰極線Ｂ1 以外の他の陰極線Ｂ2〜Ｂn には電源電圧と同電位の逆バイアス電圧ＶCCを印加してやることにより、誤発光を防止」と記載されているから、本件発明１の「Ｃ　前記走査電極の選択単位電極と前記データ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止」に相当する。
　また、上記引用刊行物２には、「走査が図５の陰極線Ｂ1から図８の陰極線Ｂ2に移行する前に、まず、図６に示すように、すべてのシャントスイッチ７1〜７256をオフするとともに、すべての走査スイッチ５1〜５64と、すべてのドライブスイッチ６1〜５256を１０Ｖ側に切り換え、陽極線Ａ1〜Ａ256と陰極線Ｂ1〜Ｂ64のすべてを一旦１０Ｖにシャントし、１０Ｖによるオールリセットをかける。この１０Ｖへのオールリセットが行なわれると、陽極線と陰極線のすべてが１０Ｖの同電位となるので、各発光素子に充電されていた電荷は図中の矢印で示すようなルートを通って放電し、すべての発光素子の充電電荷が瞬時のうちに０となる。」と記載されているから、本件発明１の「Ｄ　前記走査電極の各単位電極の選択に従属して選択されるべきデータ電極の所定単位電極を選択する直前に、一旦、すべての走査電極とすべてのデータ電極とをショートして、全画素をゼロバイアスとする」に相当する。
　したがって両者は、「有機薄膜ＥＬ表示装置の駆動方法において、
Ｃ　前記走査電極の選択単位電極と前記データ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、
Ｄ　前記走査電極の各単位電極の選択に従属して選択されるべきデータ電極の所定単位電極を選択する直前に、一旦、すべての走査電極とすべてのデータ電極とをショートして、全画素をゼロバイアスとすることを特徴とする有機薄膜ＥＬ表示装置の駆動方法。」で一致し、次の点で相違する。
　
（相違点）
　相違点１：本件発明１のものは、「有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置」であるのに対して、上記引用刊行物２に記載されたものは、その旨明記されていない点。
　相違点２：本件発明１のものは、「前記データ電極の各単位電極には選択時には電流供給手段に、非選択時には接地側に接続するスイッチを接続し、前記電流供給手段には前記電流供給手段をそれぞれ短絡するスイッチを並列に接続」しているのに対し、上記引用刊行物２に記載されたものは、「第１の接点は開放とし、第２の接点は電流源２1〜２256に、第３の接点は電源電圧ＶCC＝１０Ｖにそれぞれ接続した３点切換スイッチのドライブスイッチ６1〜６256と、アース電位（０Ｖ）へリセットするためのシャントスイッチ７１〜７２５６」を用いている点
　
　そこで、上記相違点を検討する。
　
　相違点１について
　上記引用刊行物１には、本件発明１の「有機発光薄膜」に相当する有機電子輸送発光層２４を含む有機正孔注入輸送層２３と有機電子輸送発光層２４との積層膜を、本件発明１の「走査電極」に相当する複数の単位電極からなる金属電極２５と、本件発明１の「データ電極」に相当する透光性のＩＴＯ電極２２とによってマトリクス状に挟持した有機薄膜ＥＬ表示装置が記載されているから、上記引用刊行物１には「Ａ　有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置」が記載されている。
　
　相違点２について
　３接点以上の多接点切換スイッチを、２入力切換スイッチを複数組み合わせることにより形成することは周知技術であり（必要あれば特開平６−２４４７３９号公報、特開平５−２５９８４７号公報、米国特許第３６１４３２７号公報等参照）、上記引用刊行物２に記載された３点切換スイッチは、第１の接点は解放とし第２の接点は次段のスイッチに接続されたスイッチと、第１の接点は電流源に接続され第２の接点は電源電圧に接続された「次段」スイッチにより構成することは、当業者が適宜なし得る設計事項である。
　そして、「解放」接点の投入と「アース電位へリセットするシャントスイッチ」の投入は同時に行われるものであるから、「解放」接点を「アース電位」への接続接点とすることにより、「シャントスイッチ」と兼用とすることは当業者が適宜なし得る設計事項である。
　また、「電流源」への電力供給が通常「電源電圧」より行われることを考慮すれば、前記「電源電圧」への接続接点は、「電流源」の入力側への接点と等価である。
　
　しかしながら、「電源電圧」への接続により、「電流源」の出力は解放されることとなり、上記引用刊行物１，２に記載された発明は、本件発明１を特定する事項である、「前記電流供給手段には前記電流供給手段をそれぞれ短絡するスイッチを並列に接続する」.ことについては、記載も示唆もされていない。
　更に、上記参考資料１，２にも、この点は記載も示唆もされていない。
　そして、「電流源」である「電流供給手段」を短絡することにより、「電流供給手段」の他の回路への影響を防止する効果を有するものと認められる。
　
　よって、本件発明１は、異議申立人提出の各刊行物に記載された発明と同一とも、各刊行物に記載された発明から容易に想到し得るものとも認められないから、特許法第２９条第１項第３号まはた特許法第２９条第２項の規定に違反したものとすることができない。
　
（４）本件発明２について
ア．引用刊行物および異議申立人提出刊行物に記載された発明
　当審が平成１に通知した取消しの理由において引用した刊行物１（異議申立人　出口　淳子　提出甲第１号証、異議申立人　古江　恵実子　提出甲第２号証、異議申立人　シャープ株式会社　提出甲第２号証），刊行物２（異議申立人　小野　浩一　提出甲第１号証、異議申立人　出口　淳子　提出甲第２号証、異議申立人　古江　恵実子　提出甲第１号証、異議申立人　シャープ株式会社　提出甲第１号証）には、上記「本件発明１について」に記載したとおりの発明の他、次のとおりの発明が記載されている。
ｂ．引用刊行物２：特開平９−２３２０７４号公報
「【００４７】図９〜図１２に、本発明に係る第３の駆動方法を示す。この第３の駆動方法は、次の陰極線へ走査が移る前に、すべての陰極線Ｂ1〜Ｂ64を１０Ｖにオールリセットするとともに、陽極線Ａ1〜Ａ256については次の発光に備えてプリセットするようにした場合の例である。なお、回路構成自体は前述した第２の駆動方法の場合と同じであるので、その説明は省略する。
【００４８】次に、前記図９〜図１２を参照して、第３の駆動方法による発光動作について説明する。なお、以下に述べる動作は、前述した第１および第２の駆動方法と同じく、陰極線Ｂ1を走査して発光素子Ｅ1,1とＥ1,2を光らせた後、陰極線Ｂ2に走査を移して発光素子Ｅ2,2 とＥ3,2 を光らせる場合を例に採る。
【００４９】まず、図９では、走査スイッチ５1が０Ｖ側に切り換えられ、陰極線Ｂ1が走査されている。他の陰極線Ｂ2〜Ｂ64には、走査スイッチ５2〜５64により逆バイアス電圧１０Ｖが印加されている。さらに、陽極線Ａ1とＡ2には、ドライブスイッチ６1と６2によって電流源５1，５2が接続されている。また、他の陽極線Ａ3〜Ａ256には、シャントスイッチ７3〜７256によって０Ｖが与えられている。
【００５０】したがって、図９の場合、発光素子Ｅ1,1とＥ2,1のみが準方向にバイアスされ、電流源５1と５2から矢印のように駆動電流が流れ込み、発光素子Ｅ1,1とＥ2,1のみが発光している。この図９の状態では、コンデンサにハッチングして示した発光素子は、それぞれ図のような極性の向きに充電された状態となっている。この図９の発光状態から図１２の発光素子Ｅ2,2とＥ3,2が発光する状態に走査を移行する際に、以下のようなリセット制御が行なわれる。
【００５１】すなわち、走査が図９の陰極線Ｂ1から図１２の陰極線Ｂ2に移行する前に、まず、図１０に示すように、すべての走査スイッチ５1〜５64を１０Ｖ側に切り換え、オールリセットをかける。さらに、陽極線については、次に発光させるべき発光素子Ｅ2,2とＥ2,3に対応するドライブスイッチ６2と６3のみを１０Ｖ側に接続してプリセットし、他のドライブスイッチ６1，６4〜６256については開放端側に接続する。また、シャントスイッチ７1, ７4〜７256をオンし、０Ｖに接続する。
【００５２】この陽極線Ｂ1〜Ｂ64の１０Ｖへのオールリセットと、陽極線Ａ2，Ａ3の電源電圧１０Ｖへのプリセットが行なわれると、各発光素子に充電されていた電荷は図中の矢印で示すようなルートを通って充放電し、次に発光させるべき陽極線Ａ2とＡ3に接続された発光素子Ｅ2,1〜Ｅ2,64、Ｅ3,1〜Ｅ3,64の充電電荷が瞬時のうちに０となる。
【００５３】前記のようにして、発光素子Ｅ2,1〜Ｅ2,64とＥ3,1〜Ｅ3,64の充電電荷を０にした後、図１１に示すように、走査スイッチ５2を０Ｖ側に切り換え、陰極線Ｂ2の走査を行なう。これと同時に、ドライブスイッチ６2と６3を電流源２2と２3 側に切り換える。
【００５４】上記スイッチの切り換えによって陰極線Ｂ2の走査が行なわれると、発光させるべき発光素子Ｅ2,2とＥ3,2には、図１１中に矢印で示したような複数のルートで充電電流が一気に流れ込み、それぞれの発光素子の寄生容量Ｃが瞬時に充電される。
【００５５】すなわち、発光素子Ｅ2,2には、電流源２2→ドライブスイッチ６2→陽極線Ａ2→発光素子2,2→走査スイッチ５2のルートで充電電流が流れ込むとともに、走査スイッチ５1→陰極線Ｂ1→発光素子Ｅ2,1→発光素子Ｅ2,2→走査スイッチ５2のルート、走査スイッチ５3→陰極線Ｂ3→発光素子Ｅ2,3→発光素子Ｅ2,2→走査スイッチ５2のルート、・・・、走査スイッチ５64→陰極線Ｂ64→発光素子Ｅ2,64→発光素子Ｅ2,2→走査スイッチ５2のルートからも同時に充電電流が流れ込み、発光素子Ｅ2,2はこれら複数の充電電流によって瞬時に充電されて発光し、図１２に示す定常状態に瞬時に移行する。
【００５６】また、発光素子Ｅ3,2には、電流源２3→ドライブスイッチ６3→陽極線Ａ3→発光素子3,2→走査スイッチ５2の通常のルートで充電電流が流れ込むとともに、走査スイッチ５1→陰極線Ｂ1発光素子Ｅ3,1→発光素子Ｅ3,2→走査スイッチ５2のルート、走査スイッチ５3→陰極線Ｂ3→発光素子Ｅ3,3→発光素子Ｅ3,2→走査スイッチ５2のルート、・・・、走査スイッチ５64→陰極線Ｂ64→発光素子Ｅ3,64→発光素子Ｅ3,2→走査スイッチ５2のルートからも同時に充電電流が流れ込み、発光素子Ｅ2,2はこれら複数の充電電流によって瞬時に充電されて発光し、図１２に示す定常状態に瞬時に移行する。
【００５７】以上述べたように、第３の駆動方法は、次の走査に移行する前に、すべての陰極線を１０Ｖにリセットするとともに、陽極線は次の発光に備えてプリセットしたので、次の走査線に切り換えられた際に、切り換えられた走査線上の発光素子を瞬時に発光させることができる。
【００５８】なお、前記発光させるべき発光素子Ｅ2,2、Ｅ3,2以外の他の発光素子についても、図１１中に矢印で示したようなルートでそれぞれ充電が行なわれるが、これらの充電方向は逆バイアス方向であるので、発光素子Ｅ2,2、Ｅ3,2以外の他の発光素子が誤発光するおそれはない。
【００５９】また、前記第３の駆動方法は、すべての陰極線を１０Ｖにリセットするようにしたが、これに代えてすべての陰極線を０Ｖにリセットしてもよい。
【００６０】また、前記図９〜図１２の例は、駆動源として電流源２1２256を用いた場合を示したが、電圧源を用いても同様に実現することができる。」
（第００４７〜００６０段落）
と記載されている。
　
イ．対比・判断
　本件発明２と上記引用刊行物２に記載された発明とを対比する。
　上記引用刊行物２は、「有機ＥＬ（エレクトロルミネッセンス）などの発光素子を発光させるための駆動方法」に関するものであり、「走査中の陰極線Ｂ1 以外の他の陰極線Ｂ2〜Ｂn には電源電圧と同電位の逆バイアス電圧ＶCCを印加してやることにより、誤発光を防止」と記載されているから、本件発明１の「Ｇ　前記走査電極の選択単位電極と前記データ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止」に相当する。
　また、上記引用刊行物２には、「走査が図９の陰極線Ｂ1から図１２の陰極線Ｂ2に移行する前に、まず、図１０に示すように、すべての走査スイッチ５1〜５64を１０Ｖ側に切り換え、オールリセットをかける。さらに、陽極線については、次に発光させるべき発光素子Ｅ2,2とＥ2,3に対応するドライブスイッチ６2と６3のみを１０Ｖ側に接続してプリセットし、他のドライブスイッチ６1，６4〜６256については開放端側に接続する。また、シャントスイッチ７1, ７4〜７256をオンし、０Ｖに接続する。」と記載されているから、本件発明１の「Ｈ　前記走査電極の各単位電極の選択に従属して選択されるべきデータ電極の所定単位電極を選択する直前に、一旦、すべての走査電極と前記データ電極の所定単位電極とをショートして、すべての走査電極と前記データ電極の所定単位電極とに関わる画素をゼロバイアスとする」に相当する。
　したがって両者は、「有機薄膜ＥＬ表示装置の駆動方法において、
Ｇ　前記走査電極の選択単位電極と前記データ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、
Ｈ　前記走査電極の各単位電極の選択に従属して選択されるべきデータ電極の所定単位電極を選択する直前に、一旦、すべての走査電極と前記データ電極の所定単位電極とをショートして、すべての走査電極と前記データ電極の所定単位電極とに関わる画素をゼロバイアスとすることを特徴とする有機薄膜ＥＬ表示装置の駆動方法。」で一致し、次の点で相違する。
　
（相違点）
　相違点１：本件発明１のものは、「有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置」であるのに対して、上記引用刊行物２に記載されたものは、その旨明記されていない点。
　相違点２：本件発明１のものは、「前記データ電極の各単位電極には選択時には電流供給手段に、非選択時には接地側に接続するスイッチを接続し、前記電流供給手段には前記電流供給手段をそれぞれ短絡するスイッチを並列に接続」しているのに対し、上記引用刊行物２に記載されたものは、「第１の接点は開放とし、第２の接点は電流源２1〜２256に、第３の接点は電源電圧ＶCC＝１０Ｖにそれぞれ接続した３点切換スイッチのドライブスイッチ６1〜６256と、アース電位（０Ｖ）へリセットするためのシャントスイッチ７１〜７２５６」を用いている点
　
　上記相違点に対する検討は、上記「本件発明１について」と同様である。
　
　よって、本件発明２は、異議申立人提出の各刊行物に記載された発明と同一とも、各刊行物に記載された発明から容易に想到し得るものとも認められないから、特許法第２９条第１項第３号まはた特許法第２９条第２項の規定に違反したものとすることができない。
　
（５）本件発明３について
　本件発明３は、本件発明１の「駆動方法」を「駆動回路」としている他は、本件発明１と同様の構成であるので、本件発明３と異議申立人提出の各刊行物との対比・判断は、上記「本件発明１について」と同様である。
　
　よって、本件発明３は、異議申立人提出の各刊行物に記載された発明と同一とも、各刊行物に記載された発明から容易に想到し得るものとも認められないから、特許法第２９条第１項第３号まはた特許法第２９条第２項の規定に違反したものとすることができない。
　
（６）本件発明４について
　本件発明４は、本件発明２の「駆動方法」を「駆動回路」としている他は、本件発明２と同様の構成であるので、本件発明４と異議申立人提出の各刊行物との対比・判断は、上記「本件発明２について」と同様である。
　
　よって、本件発明４は、異議申立人提出の各刊行物に記載された発明と同一とも、各刊行物に記載された発明から容易に想到し得るものとも認められないから、特許法第２９条第１項第３号まはた特許法第２９条第２項の規定に違反したものとすることができない。
　
（７）むすび
　以上のとおりであるから、各特許異議の申立ての理由および、証拠によっては、本件請求項１〜４の特許を取り消すことはできない。　
　また、他に本件発明の特許を取り消すべき理由を発見しない。
　よって結論のとおり決定する。　
【異議決定日】
平成１３年３月２３日（２００１．３．２３）
【訂正の要旨】
訂正の要旨
ａ．発明の名称「有機薄膜ＥＬ表示装置の駆動方法」を明瞭でない記載の釈明を目的として「有機薄膜ＥＬ表示装置の駆動方法および駆動回路」と訂正する。
ｂ．特許請求の範囲の請求項１
「有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置の駆動方法において、前記走査電極の選択単位電極と前記データ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極とすべてのデータ電極とをショートして、全画素をゼロバイアスとすることを特徴とする有機薄膜ＥＬ表示装置の駆動方法。」を
「有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置の駆動方法において、前記データ電極の各単位電極には選択時には電流供給手段に、非選択時には接地側に接続するスイッチを接続し、前記電流供給手段には前記電流供給手段をそれぞれ短絡するスイッチを並列に接続することにより、前記走査電極の選択単位電極と前記データ電極の選択単位電極との間には１頂バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極とすべてのデータ電極とをショートして、全画素をゼロバイアスとすることを特徴とする有機薄膜ＥＬ表示装置の駆動方法。」と訂正する。
　これに伴い、特許請求の範囲の記載と発明の詳細な説明の記載との整合をとるため、段落００１３の
「【課題を解決するための手段】本発明は上記の目的を達成するために、走査電極の選択単位電極とデータ電極の選択単位電極との間には１頂バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極とすべてのデータ電極とをショートして、全画素をゼロバイアスとするようにした。」
を明瞭でない記載の釈明を目的として
「【課題を解決するための手段】本発明は上記の目的を達成するために、前記データ電極の各単位電極には選択時には電流供給手段に、非選択時には接地側に接続するスイッチを接続し、前記電流供給手段には前記電流供給手段をそれぞれ短絡するスイッチを並列に接続することにより、走査電極の選択単位電極とデータ電極の選択単位電極との間には１順八イアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極とすべてのデータ電極とをショートして、全画素をゼロバイアスとするようにした。」と訂正する。
ｃ．特許請求の範囲の請求項２
「有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置の駆動方法において、前記走査電極の選択単位電極と前記データ電極の選択単位電極との間には順バイアスを印加して、双方の選択単位電極に関わる選択画素を発光させるとともに、前記走査電極の非選択単位電極と前記データ電極の非選択単位電極との間には逆ハイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極と前記データ電極の所定単位電極とをショートして、すべての走査電極と前記データ電極の所定単位電極とに関わる画素をゼロバイアスとすることを特徴とする有機薄膜ＥＬ表示装置の駆動方法。」を
「有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置の駆動方法において、前記データ電極の各単位電極には選択時には電流供給手段に、非選択時には接地側に接続するスイッチを接続し、前記電流供給手段には前記電流供給手段をそれぞれ短絡するスイッチを並列に接続することにより、前記走査電極の選択単位電極と前記データ電極の選択単位電極との間には１頂バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極と前記データ電極の所定単位電極とをショートして、すべての走査電極と前記データ電極の所定単位電極とに関わる画素をゼロバイアスとすることを特徴とする有機薄膜ＥＬ表示装置の駆動方法。」と訂正する。
　これに伴い、特許請求の範囲の記載と発明の詳細な説明の記載との整合をとるため、段落００１４の
「また、本発明は上記の目的を達成するために、走査電極の選択単位電極とデータ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極と前記データ電極の所定単位電極とをショートして、すべての走査電極と前記データ電極の所定単位電極とに関わる画素をゼロバイアスとするようにした。」
を明瞭でない記載の釈明を目的として
「また、本発明は上記の目的を達成するために、前記データ電極の各単位電極には選択時には電流供給手段に、非選択時には接地側に接続するスイッチを接続し、前記電流供給手段には前記電流供給手段をそれぞれ短絡するスイッチを並列こ接続することにより、走査電極の選択単位電極とデータ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極と前記データ電極の所定単位電極とをショートして、すべての走査電極と前記データ電極の所定単位電極とに関わる画素をゼロバイアスとするようにした。」
と訂正する。
ｄ．特許請求の範囲の請求項３
「有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置を駆動する有機薄膜ＥＬ表示装置の駆動回路において、前記走査電極の選択単位電極と前記データ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極とすべてのデータ電極とをショートして、全画素をゼロバイアスとすることを特徴とする有機薄膜ＥＬ表示装置の駆動回路。」を
「有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置を駆動する有機薄膜ＥＬ表示装置の駆動回路において、前記データ電極の各単位電極には選択時には電流供給手段に、非選択時には接地側に接続するスイッチを接続し、前記電流供給手段には前記電流供給手段をそれぞれ短絡するスイッチを並列に接続することにより、前記走査電極の選択単位電極と前記データ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極とすべてのデータ電極とをショートして、全画素をゼロバイアスとすることを特徴とする有機薄膜ＥＬ表示装置の駆動回路。」
と訂正する。
ｅ．特許請求の範囲の請求項４
「有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置を駆動する有機薄膜ＥＬ表示装置の駆動回路において、前記走査電極の選択単位電極と前記データ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極と前記データ電極の所定単立電極とをショートして、すべての走査電極と前記データ電極の所定単位電極とに関わる画素をゼロバイアスとすることを特徴とする有機薄膜ＥＬ表示装置の駆動回路。」を
「有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置を駆動する有機膜ＥＬ表示装置の駆動回路において、前記データ電極の各単位電極には選択時には電流供給手段に、非選択時には接地側に接続するスイッチを接続し、前記電流供給手段には前記電流供給手段をそれぞれ短絡するスイッチを並列に接続することにより、前記走査電極の選択単位電極と前記データ電極の選択単位電極との間には１頂バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、前記走査電極の各単位電極の選択に従属して選択されるべきデータ電極の所定単位電極を選択する直前に、一旦、すべての走査電極と前記データ電極の所定単位電極とをショートして、すべての走査電極と前記データ電極の所定単位電極とに関わる画素をゼロバイアスとすることを特徴とする有機薄膜ＥＬ表示装置の駆動回路。」
と訂正する。
（５４）【発明の名称】
有機薄膜ＥＬ表示装置の駆動方法
および駆動回路
（５７）【特許請求の範囲】
　【請求項１】　有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置の駆動方法において、
前記データ電極の各単位電極には選択時には電流供給手段に、非撰択時には接地側に接続するスイッチを接続し、前記電流供給手段には前記電流供給手段をそれぞれ短絡するスイッチを並列に接続することにより、
　【請求項２】　有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置の駆動方法において、
前記データ電極の各単位電極には選択時には電流供給手段に、非選択時には接地側に接続するスイッチを接続し、前記電流供給には前記電流供給手段をそれぞれ短絡するスイッチを並列に接続することにより、
　【請求項３】　有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置を駆動する有機薄膜ＥＬ表示装置の駆動回路において、
前記データ電極の各単位電極には選択時には電流供給手段に、非撰択時には接地側に接続するスイッチを接続し、前記電流供給には前記電流供給手段をそれぞれ短絡するスイッチを並列に接続することにより、
　【請求項４】　有機発光薄膜を少なくとも１層以上含む単層または複数の有機積層薄膜を、少なくとも一方が透光性である複数の単位電極から成る走査電極とデータ電極とによってマトリクス状に挟持した有機薄膜ＥＬ表示装置を駆動する有機薄膜ＥＬ表示装置の駆動回路において、
前記データ電極の各単位電極には選択時には電流供給手段に、非選択時には接地側に接続するスイッチを接続し、前記電流供給手段には前記電流供給をそれぞれ短絡するスイッチを並列に接続することにより、
【発明の詳細な説明】
　【０００１】
　【発明の属する技術分野】本発明は、有機薄膜ＥＬ構造を有する、画素がマトリクス状に配列された有機薄膜ＥＬ表示装置の駆動方法に関する。
　【０００２】
　【従来の技術】従来の有機薄膜ＥＬ表示装置の駆動方法の例は、たとえば特開平６−３０１３５５号公報に開示されている。
　【０００３】図１１は、特開平６−３０１３５５号公報に開示された、有機薄膜ＥＬ素子のマトリクス駆動の等価回路を示す図である。
　【０００４】この公報では、発光層を含む有機積層薄膜を、陰極である走査電極Ｘ１〜Ｘｎと陽極であるデータ電極Ｙ１〜Ｙｍとで挟持して、有機薄膜ＥＬ構造を有する画素をマトリクス状に配置し、走査電極Ｘ１〜Ｘｎを走査、すなわちトランジスタ７１〜７ｎを順次１つずつオンにすることによって走査電極Ｘ１〜Ｘｎの単位電極を順次選択して接地電位にし、これに従属してデータ電極Ｙ１〜Ｙｍの中から表示データに従って選択されるべき所定の単位電極に電流を供給、すなわちトランジスタ１１１〜１１ｍおよび電流供給手段１０１〜１０ｍの中から表示データに従って選択されるべき所定のトランジスタをオフし、電流供給手段を動作状態にすることによって、走査電極、データ電極双方の選択単位電極に関わる選択画素に順バイアスを印加して発光させるとともに、抵抗等によるプルアップ手段Ｒｃによって走査電極Ｘ１〜Ｘｎの非選択単位電極は電源電位ＶＢに、抵抗等によるプルダウン手段Ｒｅによってデータ電極Ｙ１〜Ｙｍの非選択単位電極は接地電位になるようにして、走査電極、データ電極ともに非選択の単位電極に関わる非選択画素には逆バイアス、選択単位電極と非選択単位電極に関わる非選択画素にはゼロバイアスもしくは発光閾値以下のバイアスを印加して、非選択画素の半励起状態に起因するクロストークを防止している。
　【０００５】なお、図１１に示した従来例においては、簡単のために電流供給手段１０１〜１０ｍはそれぞれ１個のトランジスタで構成されているが、走査電極およびデータ電極の配線抵抗による電圧降下で画素間で輝度差が生じないように、実際にはより精密な定電流回路が用いられることが多い。
　【０００６】
　【発明が解決しようとする課題】前記した従来の有機薄膜ＥＬ表示装置の駆動方法の問題点は、画素が選択されてから発光するまでの応答速度が遅いことである。
　【０００７】以下にその理由について説明する。
　【０００８】図９は、有機薄膜ＥＬ表示装置と従来の駆動方法に関わる駆動回路の等価回路図である。
　【０００９】走査電極Ｘ１〜Ｘｎはスイッチ７１〜７ｎによって選択時には接地側、非選択時には電源電圧ＶＢに接続され、データ電極Ｙ１〜Ｙｍはスイッチ１１１〜１１ｍによって選択時にはそれぞれの電流供給手段１０１〜１０ｍ側、非選択時には接地側に接続される。有機薄膜ＥＬ構造を有する画素Ｄ（ｘ：１〜ｎ，ｙ：１〜ｍ）はダイオードと並列容量とで示される。いま、走査電極のある単位電極Ｘｉが選択され、これに従属してデータ電極のある単位電極Ｙｊを選択して双方の単位電極に関わる画素Ｄ（ｉ，ｊ）を発光させる場合を例にとって説明する。
　【００１０】図１０は、有機薄膜ＥＬ表示装置の従来の駆動方法を示すタイミングチャートであり、図９のスイッチ７ｉ−１、７ｉ、７ｉ＋１、１１ｊのスイッチング動作とこれによる走査電極の単位電極Ｘｉ、およびデータ電極の単位電極Ｙｊの各電位の時間変化を示した図である。
　【００１１】スイッチ７ｉによって走査電極の単位電極Ｘｉが選択されて接地電位となる期間ｔｉの直前には、スイッチ７ｉ−１によって走査電極の単位電極Ｘｉ−１が選択されて接地電位となっているか、またはすべての走査電極Ｘ１〜Ｘｎが非選択の状態にあるから、少なくともｎ−１本の走査電極の単位電極は電源電位ＶＢとなっている。一方、このときスイッチ１１ｊによってデータ電極の単位電極Ｙｊが実線で示すように非選択である場合には、データ電極の単位電極Ｙｊは接地電位となっているから、走査電極Ｘ１〜Ｘｎとデータ電極の単位電極Ｙｊに関わる画素Ｄ（１，ｊ）〜Ｄ（ｎ，ｊ）のうち少なくともｎ−１個の画素には逆バイアスが印加され、それぞれの並列容量は逆バイアス方向に充電されている。その後、期間ｔｉにおいて、スイッチ７ｉによって走査電極の単位電極Ｘｉが選択されるとともに、スイッチ１１ｊによってデータ電極の単位電極Ｙｊが選択されると、走査電極の単位電極Ｘｉの電位は速やかに接地電位となるが、スイッチ１１ｊによってデータ電極の単位電極Ｙｊに接続された電流供給手段１０ｊからの電流は、まず前記の少なくともｎ−１個の画素の逆バイアス方向の蓄積容量をキャンセルするために使われるので、データ電極の単位電極Ｙｊの電位はすぐには上昇せず、その結果画素Ｄ（ｉ，ｊ）に順バイアスが印加されて発光に至るまでには遅延時間ｔｄが生じる。特に電流供給手段１０ｊが定電流回路である場合には、データ電極の単位電極Ｙｊの電位はそれが選択されてからの時間に対して一次関数でしか上昇しないから前記遅延時間ｔｄはなおさら大きくなる。
　【００１２】本発明は上記の点にかんがみてなされたもので、有機薄膜ＥＬ表示装置の駆動方法において、走査電極の選択単位電極とデータ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合に、選択画素の発光に大幅な遅延を生じさせることなく、高容量表示にも対応できる駆動方法を提供することを目的とする。
　【００１３】
　【課題を解決するための手段】本発明は上記の目的を達成するために、
前記データ電の各単位電極には電流供給手段に、非選択時には地側にするスイッチを接続し、前記電流供給手段には前記電流供給手段をそれぞれ短絡するスイッチを並列に接続することにより、
　【００１４】また、本発明は上記の目的を達成するために、
前記データ電極の各単位電極には選択時には電流供給手段に、非選択には接地側に接続するスイッチを接続し、前記電流供給手段には前記電流供給手段をそれぞれ短絡するスイッチを並列することにより、
　【００１５】
　【発明の実施の形態】以下本発明を図面に基づいて説明する。
　【００１６】図１は、有機薄膜ＥＬ表示装置と本発明による駆動方法の第１の実施の形態に関わる駆動回路の等価回路図である。
　【００１７】走査電極Ｘ１〜Ｘｎにはスイッチ７１〜７ｎがそれぞれ接続されていて、選択時には接地側、非選択時には電源電圧ＶＢ側に接続される。
　【００１８】データ電極Ｙ１〜Ｙｍにはスイッチ１１１〜１１ｍがそれぞれ接続されていて、選択時にはそれぞれの電流供給手段１０１〜１０ｍ側、非選択時には接地側に接続される。
　【００１９】各電流供給手段１０１〜１０ｍには、これらをそれぞれ短絡するスイッチ１２１〜１２ｍが並列に接続されている。いま、画素Ｄ（ｉ，ｊ）を選択して発光させる場合を例にとって説明する。
　【００２０】図２は、図１に示した駆動回路における駆動方法を示すタイミングチャートであり、図１に示したスイッチ７ｉ−１、７ｉ、７ｉ＋１、１１ｊ、１２ｊのスイッチング動作とこれによる走査電極の単位電極Ｘｉ、およびデータ電極の単位電極Ｙｊの各電位の時間変化を示したものである。
　【００２１】スイッチ７ｉ−１によって走査電極の単位電極Ｘｉ−１が選択されて接地側へ接続されている期間ｔｉ−１では、スイッチ１１ｊは表示データに従ってデータ電極の単位電極Ｙｊを電流供給手段１０ｊ側または接地側のどちらかに接続する。このとき、実線で示すようにデータ電極の単位電極Ｙｊが接地側に接続されていれば、画素Ｄ（ｉ−１，ｊ）にはゼロバイアスが、画素Ｄ（１，ｊ）〜Ｄ（ｉ−２，ｊ）およびＤ（ｉ，ｊ）〜Ｄ（ｎ，ｊ）には逆バイアスが印加され、これらの素子の並列容量は逆バイアス方向に充電されている。次に、スイッチ７１〜７ｎがすべての走査電極Ｘ１〜Ｘｎを電源電圧ＶＢ側へ接続する期間ｔＢがあり、このときスイッチ１１１〜１１ｍはすべてのデータ電極Ｙ１〜Ｙｍをそれぞれの電流供給手段１０１〜１０ｍ側に接続するが、同時にスイッチ１２１〜１２ｍが閉じられて、すべてのデータ電極Ｙ１〜Ｙｍはすべての走査電極Ｘ１〜Ｘｎとショートされる。従って、時間ｔｉ−１において逆バイアス方向に充電されていた画素の蓄積容量は電流供給手段１０ｊに関係なく素早く放電され、すべての画素はゼロバイアスとなる。その後、期間ｔｉでは、スイッチ７ｉによって走査電極の単位電極Ｘｉが選択されるとともに、スイッチ１１ｊがデータ電極の単位電極Ｙｊを電流供給手段１０ｊ側に接続したときには、データ電極の単位電極Ｙｊの電位はただちに上昇し画素Ｄ（ｉ，ｊ）の発光の遅延は生じない。図３は、有機薄膜ＥＬ表示装置の一実施例の概略構成を示す図である。
　【００２２】ガラス基板２０上にスパッタ法を用いて厚さ１２０［ｎｍ］のｌＴＯ膜を形成し、フォトリソグラフィ法を用いて幅０．３ｍｍの透明ストライプ電極２１１〜２１２５６を０．３３ｍｍピッチで２５６本形成した。その上に有機薄膜より成る正孔注入層２２、正孔輸送層２３、発光層２４、電子輸送層２５を真空蒸着法にて形成し、さらにその上に厚さ３００［ｎｍ］のＡｌ−Ｌｉ合金から成るストライプ電極２６１〜２６６４を透明ストライプ電極と直交して真空蒸着法にて形成した。この有機薄膜ＥＬ表示装置をストライプ電極２６１〜２６６４側を走査電極として従来の技術によって駆動したところ、選択画素の点灯遅延時間は１５０〜２００［μｓ］であった。
　【００２３】図４は有機薄膜ＥＬ表示装置の等価回路と本発明の一実施例を実現する駆動回路である。また、図５は図４の駆動回路を制御するパルスのタイミングチャートである。
　【００２４】Ｘドライバ３０は、シフト間隔１０４［μｓ］、幅９０［μｓ］のパルスを発生する６４段のシフトレジスタで、トランジスタ３１１〜３１６４およびトランジスタ３２１〜３２６４は、このシフトパルスを受けてストライプ電極２６１〜２６６４を順次スイッチングする。すなわち、たとえばｉ番目のシフトパルスが入力されるとトランジスタ３１ｉはオフとなり、トランジスタ３２ｉはオンとなってストライプ電極２６ｉは接地され、他のストライプ電極２６１〜２６ｉ−１および２６ｉ＋１〜２６６４は、トランジスタ３１１〜３１ｉ−１および３１ｉ＋１〜３１６４がオン、トランジスタ３２１〜３２ｉ−１および３２ｉ＋１〜３２６４がオフとなって電源電圧ＶＢ側へ接続される。
　【００２５】Ｙドライバ４０は、Ｘドライバ３０のシフトパルスの立ち上がりに同期して表示データに従った２５６個のパラレルパルスを発生し、その反転パルスがトランジスタ３３１〜３３２５６のそれぞれのベースに入力される。たとえばトランジスタ３３ｊのベースがローレベルになればトランジスタ３３ｊはオフとなり電流供給手段６０ｊからの電流は透明ストライプ電極２１ｊ側に供給され、トランジスタ３３ｊのベースがハイレベルになればトランジスタ３３ｊがオンとなって透明ストライプ電極２１ｊを接地する。パルス発生器５０は、Ｘドライバ３０からのいずれのシフトパルスに対しても、その立ち下がりに同期して立ち下がり、立ち上がりに同期して立ち上がるパルスを発生し、トランジスタ３４１〜３４２５６のベースに同時に入力される。このパルスがローレベルになる期間ｔＢでは、トランジスタ３１１〜３１６４はすべてオン、トランジスタ３２１〜３２６４はすべてオフ、トランジスタ３３１〜３３２５６はすべてオフ、トランジスタ３４１〜３４２５６はすべてオンとなるから、透明ストライプ電極２１１〜２１２５６の電位とストライプ電極２６１〜２６６４の電位はすべて電源電圧ＶＢとなり、すべての有機薄膜ＥＬ画素はゼロバイアス状態となる。
　【００２６】図６は電流供給手段６０１〜６０２５６の１つを構成する回路図である。
　【００２７】この実施例における選択画素の点灯の遅延時間は５［μｓ］以下であった。図７は本発明による有機薄膜ＥＬ表示装置の駆動方法の第２の実施の形態を示すタイミングチャートであり、従来の駆動回路である図９と同様の構成において、スイッチ７ｉ−１、７ｉ、７ｉ＋１、１１ｊの動作とこれによる走査電極の単位電極Ｘｉ、およびデータ電極の単位電極Ｙｊの各電位の時間変化を示したものである。
　【００２８】いま、画素Ｄ（ｉ，ｊ）を選択して発光させる場合を例にとって説明する。
　【００２９】スイッチ７ｉ−１によって走査電極の単位電極Ｘｉ−１が選択されて接地側へ接続されている期間ｔｉ−１では、スイッチ１１ｊは表示データに従ってデータ電極の単位電極Ｙｊを電流供給手段１０ｊ側または接地側のどちらかに接続する。このとき、実線で示すように、データ電極の単位電極Ｙｊが接地側に接続されていれば、画素Ｄ（ｉ−１，ｊ）にはゼロバイアスが、画素Ｄ（１，ｊ）〜Ｄ（ｉ−２，ｊ）およびＤ（ｉ，ｊ）〜Ｄ（ｎ，ｊ）には逆バイアスが印加され、これらの素子の並列容量は逆バイアス方向に充電されている。
　【００３０】次に、スイッチ７１〜７ｎがすべての走査電極Ｘ１〜Ｘｎを接地側へ接続する期間ｔＢがあり、このときスイッチ１１１〜１１ｍはすべてのデータ電極Ｙ１〜Ｙｍを接地側に接続するから、すべてのデータ電極Ｙ１〜Ｙｍとすべての走査電極Ｘ１〜Ｘｎがショートされる。従って、期間ｔｉ−１において逆バイアス方向に充電されていた画素の蓄積容量は電流供給手段１０ｊに関係なく素早く放電され、すべての画素はゼロバイアスとなる。
　【００３１】その後、時刻ｔｉでは、スイッチ７ｉによって走査電極の単位電極Ｘｉが選択されるとともに、スイッチ１１ｊがデータ電極の単位電極Ｙｊを電流供給手段１０ｊ側に接続したときには、データ電極の単位電極Ｙｊの電位は直ちに上昇し、画素Ｄ（ｉ，ｊ）の発光の遅延は生じない。
　【００３２】図８は本発明による有機薄膜ＥＬ表示装置の駆動方法の第３の実施の形態を示すタイミングチャートであり、図１と同様の構成において、スイッチ７ｉ−１、７ｉ、７ｉ＋１、１１ｊ−１、１１ｊ、１１ｊ＋１１２ｊの動作とこれによる走査電極の単位電極Ｘｉ−１、Ｘｉ、Ｘｉ＋１、およびデータ電極の単位電極Ｙｊ−１、Ｙｊ、Ｙｊ＋１の各電位の時間変化を示したものである。
　【００３３】いま、画素Ｄ（ｉ，ｊ）を選択して発光させる場合を例にとって説明する。
　【００３４】スイッチ７ｉ−１によって走査電極の単位電極Ｘｉ−１が選択されて接地側へ接続されている期間ｔｉ−１では、スイッチ１１ｊ−１、１１ｊ、１１ｊ＋１は表示データに従ってそれぞれのデータ電極の単位電極Ｙｊ−１、Ｙｊ、Ｙｊ＋１をそれぞれの電流供給手段１０ｊ−１、１０ｊ、１０ｊ＋１側または接地側のどちらかに接続する。このとき、実線で示すように、データ電極の単位電極Ｙｊ−１、Ｙｊ、Ｙｊ＋１が接地側に接続されていれば、画素Ｄ（ｉ−１，ｊ−１）、Ｄ（ｉ−１，ｊ）、Ｄ（ｉ−１，ｊ＋１）にはゼロバイアスが、画素Ｄ（１，ｊ−１）〜Ｄ（ｉ−２，ｊ−１）、Ｄ（１，ｊ）〜Ｄ（ｉ−２，ｊ）、Ｄ（１，ｊ＋１）〜Ｄ（ｉ−２，ｊ＋１）およびＤ（ｉ，ｊ−１）〜Ｄ（ｎ，ｊ−１）、Ｄ（ｉ，ｊ）〜Ｄ（ｎ，ｊ）、Ｄ（ｉ，ｊ＋１）〜Ｄ（ｎ，ｊ＋１）には逆バイアスが印加され、これらの素子の並列容量は逆バイアス方向に充電されている。
　【００３５】次に、スイッチ７１〜７ｎがすべての走査電極Ｘ１〜Ｘｎを電源電圧ＶＢ側へ接続する期間ｔＢがあり、このとき、スイッチ１１１〜１１ｍのうち、後に走査電極の単位電極Ｘｉが選択される期間ｔｉにおいて択されるべきデータ電極の単位電極に関わるスイッチのみをその電流供給手段側に接続し、同時にスイッチ１２１〜１２ｍが閉じられて、データ電極Ｙ１〜Ｙｍのうち期間ｔｉにおいて選択されるデータ電極のみとすべての走査電極Ｘ１〜Ｘｎがショートされる。この例としてデータ電極の単位電極Ｙｊのみが期間ｔｉにおいてのみ選択される場合を実線で示した。従って、期間ｔｉ−１において逆バイアス方向に充電されていた画素のうち、期間ｔｉで選択されるべき画素のみの蓄積容量が電流供給手段１０ｊに関係なく素早く放電され、ゼロバイアスとなる。
　【００３６】このようにすれば、期間ｔｉにおいて選択されない画素が再び逆バイアスされることによる充放電ロスを削減することが可能である。
　【００３７】
　【発明の効果】本発明の効果は、走査電極の選択単位電極とデータ電極の選択単位電極との間には順バイアスを印加して、双方の選択単位電極に関わる選択画素を発光させるとともに、前記走査電極の非選択単位電極と前記データ電極の非選択単位電極との間には逆バイアスを印加して、非選択画素の半励起状態に起因するクロストークを防止する場合にも選択画素の発光に大幅な遅延が生じないことである。
　【００３８】その理由は、走査電極の各単位電極の選択に従属して選択されるべきデータ電極の所定単位電極を選択する直前に、一旦、すべての走査電極とすべてのデータ電極とを、またはすべての走査電極と次に選択されるべきデータ電極の単位電極とをショートして、全画素または次に選択されるべきデータ電極の単位電極に属する画素をゼロバイアスするようにしたので、直前まで逆バイアスされていた画素の蓄積容量の放電をともなうことなく、選択した画素に素早く順バイアスが印加されるからである。
【図面の簡単な説明】
　【図１】有機薄膜ＥＬ表示装置と本発明による駆動方法の第１の実施の形態に関わる駆動回路の等価回路図である。
　【図２】図１に示した駆動回路における駆動方法を示すタイミングチャートの図である。
　【図３】有機薄膜ＥＬ表示装置の一実施例の概略構成を示す図である。
　【図４】有機薄膜ＥＬ表示装置の等価回路と本発明の一施例を実現する駆動回路の図である。
　【図５】図４の駆動回路を制御するパルスのタイミングチャートの図である。
　【図６】電流供給手段の１つを構成する回路図である。
　【図７】本発明による有機薄膜ＥＬ表示装置の駆動方法の第２の実施の形態を示すタイミングチャートの図である。
　【図８】本発明による有機薄膜ＥＬ表示装置の駆動方法の第３の実施の形態を示すタイミングチャートの図である。
　【図９】有機薄膜ＥＬ表示装置と従来の駆動方法に関わる駆動回路の等価回路図である。
　【図１０】有機薄膜ＥＬ表示装置の従来の駆動方法を示すタイミングチャートの図である。
　【図１１】特開平６−３０１３５５号公報に開示された、有機薄膜ＥＬ素子のマトリクス駆動の等価回路を示す図である。
　【符号の説明】
７１〜７ｎ　スイッチ
１０１〜１０ｍ　電流供給手段
１１１〜１１ｍ　スイッチ
１２１〜１２ｍ　スイッチ
２０　ガラス基板
２１１〜２１２５６　透明ストライプ電極
２２　正孔注入層
２３　正孔輸送層
２４　発光層
２５　電子輸送層
２６１〜２６６４　ストライプ電極
３０　Ｘドライバ
３１１〜３１６４　トランジスタ
３２１〜３２６４　トランジスタ
３３１〜３３２５６　トランジスタ
３４１〜３４２５６　トランジスタ
４０　Ｙドライバ
５０　パルス発生器
６０１〜６０２５６　電流供給手段
６１１〜６１２５６　トランジスタ
６２１〜６２２５６　トランジスタ
６３１〜６３２５６　トランジスタ
ＶＢ　電源電圧
ＶＣ　電流供給手段による電圧降下
Ｘ１〜Ｘ６４　走査電極
Ｙ１〜Ｙ２５６　データ電極